(57)【要約】【課題】操作性が良好な上に不正解錠操作に対する耐性が高く、かつ、意匠的制約も少ない錠装置の提供を目的とする。【解決手段】揺動ストローク中心位置に思案点を有して長手方向中心がベース１に揺動自在に支持されるシーソスイッチ２と、  施錠位置と解錠位置との間で移動可能な施錠体３と、  一端がシーソスイッチ２に連結されるとともに、他端が前記施錠体３に係止されて、シーソスイッチ２への揺動操作を施錠体３の施解錠位置間の移動に変換する連結プレート４と、  施錠状態において施錠体３を施錠位置に拘束するシリンダ錠５とを有して構成する。【選択図】  図３
2005240432.tif 000002
【特許請求の範囲】
【請求項１】
揺動ストローク中心位置に思案点を有して長手方向中心がベースに揺動自在に支持されるシーソスイッチと、
施錠位置と解錠位置との間で移動可能な施錠体と、
一端がシーソスイッチに連結されるとともに、他端が前記施錠体に係止されて、シーソスイッチへの揺動操作を施錠体の施解錠位置間の移動に変換する連結プレートと、
施錠状態において施錠体を施錠位置に拘束するシリンダ錠とを有する錠装置。
【請求項２】
サッシの室内側召し合わせ框に嵌合、固定されるベースに、揺動ストローク中心位置に思案点を有して長手方向中心が揺動自在に支持されるシーソスイッチと、
室外側召し合わせ框に向けて進退し、突出位置で室外側召し合わせ框に係合する棒状の施錠体と、
一端がシーソスイッチに連結されるとともに、他端が前記施錠体の係止溝に係止されて、シーソスイッチへの揺動操作を施錠体の進退移動に変換する連結プレートと、
施錠状態において施錠体を突出位置に拘束するシリンダ錠とを有する錠装置。
【発明の詳細な説明】
【技術分野】
【０００１】
本発明は、錠装置に関するものである。
【背景技術】
【０００２】
シーソ状に揺動する部材への操作により施解錠操作を可能にして施解錠操作のしやすさを図った錠装置としては、特許文献１に記載されたものが知られている。この従来例において錠装置は、外障子の下框に固定されるベースに装着されるシーソ状のストッパとシリンダ錠とを備える。ストッパは、下框表面から突出した施錠回転位置と、下框表面に沿う解錠回転位置との間で回転自在であり、ストッパが施錠回転位置にある際にシリンダ錠を施錠すると、ストッパへの解錠回転位置側への回転操作が不能となる。
【特許文献１】特開２００２-４６７１号公報
【発明の開示】
【発明が解決しようとする課題】
【０００３】
しかし、上述した従来例において、施錠時に操作されるシーソ状の部材（ストッパ）は、内障子の召し合わせ框に衝接させすることによって障子の開放を規制するためのブロック体を兼ねているために、それ自体所定の強度が要求される上に、召し合わせ框との係止寸法も大きく採る必要がある。このように機械的強度等からの要請は、意匠的な自由度を低下させるという欠点がある。
【０００４】
本発明は、以上の欠点を解消すべくなされたものであって、操作性が良好な上に不正解錠操作に対する耐性が高く、かつ、意匠的制約も少ない錠装置の提供を目的とする。
【課題を解決するための手段】
【０００５】
本発明によれば上記目的は、
揺動ストローク中心位置に思案点を有して長手方向中心がベース１に揺動自在に支持されるシーソスイッチ２と、
施錠位置と解錠位置との間で移動可能な施錠体３と、
一端がシーソスイッチ２に連結されるとともに、他端が前記施錠体３に係止されて、シーソスイッチ２への揺動操作を施錠体３の施解錠位置間の移動に変換する連結プレート４と、
施錠状態において施錠体３を施錠位置に拘束するシリンダ錠５とを有する錠装置を提供することにより達成される。
【０００６】
本発明において、施錠対象部材により機械的に係止、あるいは係止解錠して施解錠状態を作り出す施錠体３は、シーソスイッチ２とは別体に形成され、シーソスイッチ２には、施錠状態において施錠対象部材との相互拘束状態を維持するための強度を要しない。この結果、シーソスイッチ２の大きさ、材質等は意匠的要請のみを考慮して決定することができる。
【０００７】
また、この錠装置は、サッシの室内側召し合わせ框６に嵌合、固定して使用されるサッシ用の補助錠として構成することができる。
【発明の効果】
【０００８】
本発明によれば、操作性が良好な上に不正解錠操作に対する耐性が高く、かつ、意匠的制約も少ない錠装置を得ることができる。
【発明を実施するための最良の形態】
【０００９】
図１ないし３に引き違い戸の補助錠として構成された本発明の実施の形態を示す。補助錠はベース１上に棒状の施錠体３を並進移動自在に保持して形成され、図３（ａ）に示すように、ベース１を引き違い戸の室内側召し合わせ框６に開設される開口６ａに埋め込んで固定される。框６に埋め込み固定することにより、補助錠そのものを外部から破壊、撤去することが困難になるために、防盗性が向上する。ベース１の固定は、背面にナット部９ａを固定したクリップ部材９をサッシの開口６ａ端縁に圧入した後、室内側からビス９ｂをナット部９ａにねじ込んで行われる。
【００１０】
施錠体３は、ベース１をサッシに固定した状態で室外側召し合わせ框７に向けて進退するようにベース１のガイド部１ａによりガイドされ、室外側召し合わせ框７に突出した状態で該框７に形成されたロック孔７ａに嵌合する（施錠状態）。図１（ｂ）に示すように、ロック孔７ａは、サッシの移動方向（横方向）に適数個（この実施の形態では２個）設けられ、引き戸を完全に閉め切った位置と、換気用に少し開いた位置での施錠を可能にしている。
【００１１】
施錠体３を施解錠位置間で移動させるために、ベース１には長手中心位置が揺動軸２ａ周りに揺動自在に軸支されてシーソスイッチ２が装着される。図３に示すように、シーソスイッチ２は表面がベース１から露出し、室内側から操作可能な状態で装着され、ベース１にはシーソスイッチ２の両側の揺動終端を各々規制するためのストッパ壁１ｂが設けられる。
【００１２】
また、ベース１とシーソスイッチ２裏面との間には圧縮スプリング１０が介装される。圧縮スプリング１０は、シーソスイッチ２が揺動ストローク中心姿勢にあるときに直立姿勢となるように配置され、揺動ストローク中心姿勢（思案点）からいずれかの方向に操作力が加わった場合に、当該方向の揺動ストローク終端位置側に付勢的に位置変更させる。
【００１３】
シーソスイッチ２の裏面には、連結プレート４の一端が固定される。図２に示すように、連結プレート４の他端は、二股形状に形成されており、施錠体３の上端部側壁に形成された係止溝８に係止する。この連結プレート４の長さは、シーソスイッチ２の揺動角が施錠体３の施解錠位置間の往復ストローク長にほぼ一致するように設定され、図３（ａ）に示すように、シーソスイッチ２が一方のストローク終端位置にあるときが施錠体３の施錠位置に、図３（ｂ）に示すように、他方のストローク終端位置が施錠体３の解錠位置に対応する。
【００１４】
上記シーソスイッチ２に対する不正操作を防止するために、ベース１にはシリンダ錠５が固定される。シリンダ錠５は、ベース１に一体形成されるシリンダベース部５ａにプラグ５ｂを回転自在に挿入して形成され、プラグ５ｂは、所定のキープレート１１を挿入した場合にのみシリンダベース部５ａに対して施錠回転と解錠回転位置との間で回転させることができる。プラグ５ｂは上記シーソスイッチ２の操作面、すなわち、室内側壁面に上記キープレートの挿入孔（図示せず）を向けた状態で装着され、図２、４に示すように、ベース１に固定されるストッパプレート１２によりシリンダベース部５ａからの脱離が防止される。
【００１５】
プラグ５ｂの終端には、カムプレート５ｃが固定される。カムプレート５ｃは、図４に示すように、プラグ５ｂが施錠回転位置にあるときに連結プレート４の正面壁に当接して連結プレート４の移動を規制する。これに対し、図３に示すように、プラグ５ｂが解錠回転位置にあるときには、カムプレート５ｃは連結プレート４への当接位置から退避し、連結プレート４の動作を規制することはない。
【００１６】
したがってこの実施の形態において、プラグ５ｂを解錠回転位置に保持した状態では、シーソスイッチ２をいずれかの方向に揺動操作するだけで簡単に施解錠操作を行うことができる。また、外出等する場合には、シーソスイッチ２を操作して施錠体３を施錠状態にした後、キープレート１１を使用してプラグ５ｂを施錠回転位置まで回転操作すると、カムプレート５ｃが連結プレート４の移動をブロックするために、シーソスイッチ２への操作が不能となる。この状態では、例えば、ガラスが割られて室外からシーソスイッチ２を直接、不正操作されることが完全に防止される。
【００１７】
なお、以上においては、プラグ５ｂに連結したカムプレート５ｃを回転させて連結プレート４の動作範囲内に進退させることによりシーソスイッチ２の動作を無効にする構成を説明したが、この他に、例えば、図５に示すように、シリンダ錠５の操作によりブロック体５ｄを上下方向に駆動し、連結プレート４をブロックするように構成したり、あるいはこのブロック体５ｄを直接利用者が操作し、シリンダ錠５を施錠回転位置にした際に、ブロック体５ｄをブロック位置に拘束するように構成することもできる。
【図面の簡単な説明】
【００１８】
【図１】本発明の装着状態を示す図で、（ａ）は引き違いとを室内側から見た斜視説明図、（ｂ）は室外側サッシを示す斜視説明図である。
【図２】本発明の分解斜視図である。
【図３】框への固定状態を示す図で、（ａ）は施錠状態の断面図、（ｂ）は解錠状態の断面図である。
【図４】プラグが施錠回転位置にある状態を示す説明図で、（ａ）は要部斜視図、（ｂ）は断面図である。
【図５】図２の変形例を示す図で、（ａ）はシーソスイッチを拘束した状態を示す説明図、（ｂ）は拘束を解除した状態を示す説明図である。
【符号の説明】
【００１９】
１        ベース
２        シーソスイッチ
３        施錠体
４        連結プレート
５        シリンダ錠
６        室内側召し合わせ框
７        室外側召し合わせ框
８        係止溝
【図１】
2005240432.tif 000003
【図２】
2005240432.tif 000004
【図３】
2005240432.tif 000005
【図４】
2005240432.tif 000006
【図５】
2005240432.tif 000007